(57)【要約】      （修正有）【課題】河川にパイプを設置する簡単な技術と少ない費用で、水圧と大気圧の圧力差を利用して洪水を防止することが出来る装置を提供する。【解決手段】必要な長さと水量調節用水栓を備えたパイプＰ１を河川に設置して、パイプの片方ａ１は川の水の中に設置して、反対の方Ｅ１は空気中に出すことにより水圧と大気圧の圧力差で川の水の流れを容易に速く多くするとともに必要な水量を確保する。【選択図】図２
0003224678.tif 000002
【実用新案登録請求の範囲】
【請求項１】
河川に対して必要な長さと簡単な構造と部品を備えたパイプを備えた当該河川に設置して、パイプの片方は川の水の中にして、反対の方は空気中に出すことにより水圧と大気圧の圧で川の水の流れを容易に速く多くするとともに必要な水量を確保し調整する装置
【考案の詳細な説明】
【技術分野】
【０００１】本考案は河川の洪水を防止するとともに河川の必要とする水量を調節する装置である。【０００２】河川の洪水を防止する装置は大雨、豪雨、大量の雪解け水、ダムの放流等により河川に流入する水量が河川の排水能力を超えないように、河川の排水能力を向上させることにより洪水を防止するとともに河川の必要とする水量を確保し調整することが出来る。【０００３】河川の洪水を防止することにより、河川に関するインフラ（堤防、橋等）の構造物並びに人命、財産等の損害を少なくすることができる。
【背景技術】
【０００４】河川に関するインフラ等の構造物は堤防、橋等の修理、補強、浚渫  清掃、不要物の除去、堤防の嵩上げ等により河川の能力の維持、向上を実施してきたが毎年のように多くの地区で洪水を発生して、インフラの損傷、人命、財産の損害が発生しているのは、排水能力を向上する対策が不十分であったためである。【０００５】特に２０１１年のタイ王国のチャオプラヤ川の洪水による日本の工業団地の洪水被害の損害は３か月から５か月の間水が引かず操業できなかったので日本円で２兆円を超え、日本企業に対しては５０７３億円の保険金が支払らわれた。「非特許文献１」【０００６】タイ王国のように土地全体が平面的で多くの河川の勾配は  １／１５００から１／３０００のごとく非常になだらかなため水の流れが遅く洪水が起きやすい。チャオプラヤ川では２〜３年に１回の如くしばしば発生している。【０００７】日本の河川の多くは勾配が大きいので川の水の流れは速いが、台風や低気圧の一時的な集中豪雨の時は洪水を起こして堤防や橋が破壊され流されている。これは集中豪雨の大量の水に対して河川の排水能力が不足した為である。平成２７年９月の台風１８号の集中豪雨で鬼怒川の洪水による災害は、専門家によると「安全に水を流せる設計上の水位を何時間も超えている」と指摘された。「非特許文献２」
また国土交通省によると「堤防を整備する計画が目標に達しているのはすべての河川ではほぼない」のが現状である。    「非特許文献２」【０００８】これらの自然災害に対して河川の排水能力を高めるため、堤防を嵩上げしたりしているが災害がなくならないのが現状であり、技術と費用の面で効果的な結果が得られていない。【０００９】国土交通省も神奈川県も水害時の防災対策を計画しているが、この計画は逃げ遅れゼロを目指している。この事は洪水を直接防止する事を考えていないことと同じである。「非特許文献３」
【先行技術文献】
【００１０】
【非特許文献１】全世界の河川辞典  丸善出版  発行２０１３年７月３０日
【００１１】
【非特許文献２】産経新聞（平成２７年９月１２日）
【００１２】
【非特許文献３】朝日新聞（平成３０年１２月１９日）
【考案の概要】
【考案が解決しようとする課題】
【００１３】本考案の課題は比較的簡単な構造と少ない費用で洪水の発生を少なくするとともに河川に必要な水量を確保し調整することである
【課題を解決するための手段】
【００１４】勾配の小さい平坦な河川では川の水の流れは非常に遅い。従って河川の勾配を大きくすれば川の水の流れを速くすることが出来る。【００１５】河川の勾配を大きくするには河床の勾配を大きくすれば出来るが技術と費用の面で困難である。【００１６】河床の勾配を大きくする代わりに河床にパイプを設置することにより河川の勾配を大きくしたことと同様の効果を挙げることが出来る。即ち例えば勾配  １／１０００の川を例にとれば（図１）の如く川の水はどこの部分をとっても  １ｍ／１０００ｍ＝０．００１ｍの落差（３）であるが（図２）の如く長さ１ｋｍのパイプ（Ｐ１）の１ｋｍの位置では上流側入り口（ａ１）と下流側出口（Ｅ１）は河床の勾配と同じく
１／１０００Ｘ１０００ｍ＝１ｍ  の落差となる。
これは川の水の落差の１０００倍である。落差が１０００倍になれば比例して水圧は１０００倍になるので流れる水の速度を速めることができる。ただしこの場合パイプの入り口（ａ１）と出口（Ｅ１）の両方が同じ水の中にある場合はパスカルの原理で同じ水圧となるので水は流れない。従ってパイプの下流側の出口（Ｅ１）を空気中にだすとパイプの中の水は水圧と大気圧の圧力差で１０００倍の速さで流れることになる。同じ様に（図３）の如く長さ２ｋｍのパイプ（Ｐ２）の場合のパイプの中の水の流れは上流側入口（ｂ１）と下流側出口（Ｅ２）でできる落差は２０００倍の速さになるので勾配の小さい河川の水の流れを速くすることができる
。【００１７】ここで注意しなければならない事があります。それは河床でも川の水でも勾配は河口から上流まで変わりません。この為ややもすると川の水の落差も同じ様に変わらないと思いがちになります。しかし図面を見ても川の水の落差は上流に上がる毎に大きくなることは明白でありますので、落差が変わらないと考えるのは間違えであると思います。更に川の水が流れるとベルヌーイの定理により減圧を生ずるので流れは速くなります。これによりパイプの中の水の流れは更に速くなります。【００１８】前項（００１７）により勾配の小さい緩やかな河川の水流をパイプにより、速く流すことができるが、設置したままでは川の水が限りなく少なくなるので逆に川の水を利用することができなくなる。【００１９】（図３）のパイプ（Ｐ２）に（図４）の如く湾曲したパイプ（Ｋ）を（図５）の（ＣＮ）の如く繋ぎ、湾曲したパイプの上部は常に水面上に出して水栓（ＷＳ）を装着する。この水栓を開閉することによりパイプの中の水の流れを調節することが出来るので川の水の量を調節することができる。【００２０】実用上の使い方としては、平常時においては水栓の栓を閉じておけば河川の水は従来通りであるので、農業、漁業、工業、交通、環境等に影響はない。【００２１】台風、豪雨、雪解け水、ダムの放流等により河川に集中的な大量の水が流入する予測があった場合は、水栓を開けて河川の水を速く流して出来るだけ少なくしておく。このようにしておけば大量の水が流れ込んでも、河川の水の貯水量とパイプの排水量の合計を超えなければ洪水を防止することができる。、
【考案の効果】
【００２２】  本考案の最も大きな特長はパイプを河川の河床に設置することにより河川の勾配を大きくしたことと同じ効果を挙げることが出来るので河川の排水能力を向上し、洪水を防止するとともに必要とする水量を確保し調整することが出来ることにある。更に特別の機械装置、エネルギー等も不要であり、川の水の流量の管理も水栓等を操作するだけで出来るので、管理費用もメンテナンスも非常に少なくてできる。更に今までは河川の水を必要としないのに、水量を少なくしておく考えがなかった。その上大雨で洪水が起きるのは自然現象で手の付けようがないと諦めていた。これに対して本考案は川の水の流れを速くして平常時でも出来るだけ少なくしておけば洪水の被害を少なくすることができる。【００２３】２０１１年のチャオプラヤ川の洪水も本考案を適用されていれば、洪水もなく日本の工業団地も１日も休業しないで、保険金も支払わずに済んだと思います
【考案を実施するための形態】
【００２４】本考案の実施の形態について河床の勾配を  １／１０００  の河川をモデルにして説明します。（図２）のパイプ（Ｐ１）及び（図３）のパイプ（Ｐ２）と（図４）のパイプ（Ｋ）を（図５）の（ＣＮ）の如く組み合わせて、川の長さに応じて必要な個所に設置する。
【実施例】
【００２５】（図１）において河床（Ｒ）は河口（Ｓ）より１ｋｍずつ上流に上がる毎に１ｍずつ高くなる。川の水（Ｗ）は河口（Ｓ）より上流に上がる毎に深くなり例えば約１ｋｍ上がると３ｍの水深（ＷＰ）となるがそれより上流は３ｍで推移する。【００２６】（図２）は（図１）に長さ１ｋｍのパイプ（Ｐ１）を河床に設置したものである。川の水（Ｗ）はパイプの上流側（ａ１）より入りパイプの下流側（Ｅ１）より出る。しかし（ａ１）と（Ｅ１）が同じ川の中にあるとパスカルの原理で同じ水圧となるのでパイプの中の水は動かない。従って（Ｅ１）を川の水より空気中に出すと大気圧と水圧の圧力差でパイプの中の水は流れ出る。その流れの速さは（００１６）で説明したように川の水の流れの約１０００倍になる。【００２７】（図３）は同様に長さ２ｋｍのパイプ（Ｐ２）の上流側入り口（ｂ１）の水圧と下流側出口（Ｅ２）の大気圧との圧力差で川の水を速く流すことが出来る。その速さは川の水の流れの約２０００倍である。【００２８】（図５）は湾曲したパイプの水栓（ＷＳ）を開閉することにより、流れる川の水量を調節することが出来る。【００２９】（図２）のパイプ（Ｐ１）の下流側出口（Ｅ１）及び（図３）のパイプ（Ｐ２）の下流側出口（Ｅ２）が何らかの理由で空気中に出ない場合は、共にそれぞれ（Ｐ１）及び（Ｐ２）の途中に別の装置（Ｅ３）を（図面は省略）接続して（Ｅ３）を空気中に出せば、水圧と大気圧の圧力差でパイプの中の水を速く出すことができる。更にパイプ（Ｐ１）の入り口（上流側）（ａ１）及びパイプ（Ｐ２）の入り口（上流側）（ｂ１）に邪魔物があって川の水が入らない場合に備えてネット等の防御装置を取り付ける必要がある。【００３０】長い河川において上流の方まで１本のパイプで長くすることは管理出来ないので途中でパイプを切る必要がある。（図６）は川が河口より、１２ｋｍから１５ｋｍの位置を表したもので河床の勾配は１／１０００、水深３ｍである。パイプ（Ｄ）は長さ３ｋｍで水平になるように支柱（ＳＰ）で支えて河床（Ｒ）に設置する。この場合川の水はパイプ（Ｄ）の上流側（ｄ１）より入り下流側（ｄ２）から大気中に約３ｍの水圧で排出されるので流れは川の水に比べて約３０００倍速くなる。これにより、１／１０００  の勾配の小さい川で３ｍの水深のつずく川の水でも速く流すことが出来る。
【符号の説明】（図１）３    勾配  １／１０００  水深３ｍの川の水の落差  （０．００１ｍ）
Ｒ    河床
Ｓ    河口
Ｗ    川の水
ＷＰ  水深の最大（３ｍ）になった所
（図２）Ｐ１  長さ１ｋｍのパイプ
ａ１  パイプＰ１の上流側入口
Ｅ１  パイプＰ１の下流側出口（空気中に出る）
（符号の説明）の續き
ＷＰ  水深の最大（３ｍ）になった所
▲１▼  ▲２▼▲３▼      河床及び水深の大きさのメートル単位
Ｒ      河床
Ｓ      河口
Ｗ      川の水
３      勾配  １／１０００  水深３ｍの川の水の落差（０．００１ｍ）
（図３）
Ｐ２    長さ２ｋｍのパイプ
ｂ１    パイプＰ２の上流側入口
３      勾配  １／１０００  水深３ｍの川の水の落差（０．００１ｍ）
Ｅ２    パイプＰ２の下流側出口（空気中に出る）
ＷＰ    水深の最大（３ｍ）になった所
（図４）
Ｋ      湾曲したパイプ
ＷＳ    水栓
（図５）
ＷＳ    水栓
ＣＮ    湾曲したパイプ（Ｋ）とパイプ（Ｐ１）及びパイプ（Ｐ２）と連結した所
（図６）
Ｄ      長さ３ｋｍのパイプ
ｄ１    パイプ（Ｄ）の上流側入口
ｄ２    パイプ（Ｄ）の下流側出口（空気中に出る）
ＳＰ    支柱
▲３▼  ▲１２▼▲１３▼▲１４▼▲１５▼  水深及び河床の高さのメートル単位
Ｗ      川の水
【図１】
0003224678.tif 000003
【図２】
0003224678.tif 000004
【図３】
0003224678.tif 000005
【図４】
0003224678.tif 000006
【図５】
0003224678.tif 000007
【図６】
0003224678.tif 000008
【手続補正書】
【提出日】令和1年11月11日(2019.11.11)
【手続補正２】
【補正対象書類名】明細書
【補正対象項目名】全文
【補正方法】変更
【補正の内容】
【考案の詳細な説明】
【技術分野】
【０００１】本考案は河川の洪水を防止するとともに水量を調節する装置である。【０００２】河川の洪水を防止する装置は、一時的に降る大雨、豪雨、大量の雪解け水等により河川に流入する水量が河川の排水能力を超えることにより発生する洪水の現象に対して、河川の排水能力を向上させることにより洪水を防止することができる。【０００３】河川の洪水を防止することにより、河川に関するインフラ（堤防、橋等々）の構造物並びに人命、財産等の損害を少なくすることが出来る。
【背景技術】
【０００４】河川に関するインフラ等の構造物は堤防、橋等の修理、補強、浚渫、清掃、不要物の除去、堤防の嵩上げ等により河川の能力の維持、向上を実施してきたが、毎年のように多くの地区で洪水を発生して、インフラ等の損傷、人命、財産等の損害が発生しているのは、排水能力を向上する対策が不十分であったためである。【０００５】特に２０１１年のタイ王国のチャオプラヤ川の洪水による日本の工業団地の洪水被害の損害は３か月から５か月の間水が引かず、操業できなかったため日本円で２兆円を超え、日本企業に対しては５０７３億円の保険金額が支払らわれた。
「非特許文献１」【０００６】タイ王国のように土地全体が平面的で多くの河川の勾配はは  １／１５００  から１／３０００の如く非常になだらかなため、水の流れが遅く洪水が起きやすい。チャオプラヤ川では２〜３年に１回のごとくしばしば発生している。【０００７】  日本の河川の多くは勾配が大きいので川の水の流れは速いが、台風や低気圧による一時的な集中豪雨の時は洪水を起こして堤防や橋が破壊され流されているのは、集中豪雨のような大量の水に対して河川の排水能力が不足したためである。
平成２７年９月の台風１８号の集中豪雨で鬼怒川の洪水による災害は、専門家によると「安全に水を流せる設計上の水位を何時間もこえている」と指摘された。
「非特許文献２」」
また国土交通省によると「堤防を整備する計画が目標に達しているのは、全ての河川でほぼない」のが現状である。    「非特許文献２」【０００８】これらの自然災害に際して河川の排水能力を高めるため、堤防を嵩上げしたりしているが災害がなくならないのが現状であり、技術と費用の面で効果的な結果が得られていない。、
【先行技術文献】
【０００９】
【非特許文献１】全世界の河川辞典  丸善出版
【００１０】
【非特許文献２】産業経済（平成２７年９月１２日）
【考案の概要】
【考案が解決しようとする課題】
【００１１】」
本考案の課題は比較的簡単な構造と少ない費用で洪水被害を少なくするとともに必要な水量を確保し調整することである。
【課題を解決するための手段】
【００１２】勾配の小さい平坦な河川では川の水圧はパスカルの原理によると、どの位置でも水圧は同じであるとともに水の凝集力と粘度により流れる水の速度は非常に遅い。この性質は水量が増加してもあまり変わらない。従って河川の勾配を大きくすれば川の水の流れを速くすることが出来る。【００１３】河川の勾配を大きくするには河床の勾配を大きくすれば出来るが技術と費用の面で困難である。【００１４】河床の勾配を大きくする代わりに河床にパイプを設置することにより河川の勾配を大きくすることが出来る。即ち例えば勾配  １／１０００  の川を例にとれば（図１）の如く川の水はどこの部分をとっても  １ｍ／１０００ｍ＝０．００１ｍの落差であるが（図２）の如くパイプの１ｋｍの位置（Ａ）では上流側入り口（Ａ）と下流側の出口（Ｅ）は河床の勾配と同じく
１／１０００Ｘ１０００ｍ＝１ｍ  の落差となる。
これは川の水の落差の１０００倍である。落差が１０００倍になれば比例して水圧は１０００倍になるので流れる水の速度を速めることが出来る。ただしこの場合パイプの入り口と出口の上下が同じ水の中にあるばあいはパスカルの原理で同じ水圧となるので水は流れない。従ってパイプの下流側の出口（Ｅ）を空気中に出すとパイプの中の水は水圧と大気圧の圧力差で１０００倍の速さで流れることになる。同じ様にパイプが２ｋｍの長さ（Ｂ）の場合のパイプの中の水の流れは２０００倍の速さになるので勾配の小さい河川の水の流れを速くすることが出来る
（パイプの長さは１ｋｍ（Ａ）と２ｋｍ（Ｂ）を一本のパイプで表しています）【００１５】前項（００１４）により勾配の小さい緩やかな河川の水流をパイプにより速く流すことが出来るが、設置したままでは川の水が限りなく少なくなるので逆に川の水を利用することができなくなる。【００１６】（図３）の如くパイプの途中に湾曲したパイプを繋ぎ、その上部は常に水面上に出して水栓７を装着する。この水栓を開閉することによりパイプの中の水の流れを調節する事が出来るので川の水の量を調節する事が出来る【００１７】実用上の使い方としては、平常時においいては水栓の栓を閉じておけば河川の水は従来通りであるので、農業、漁業、工業、交通、環境等に影響はない。【００１８】台風、豪雨、雪解け水等により河川に集中的な大量の水が流入する予測があった場合は水栓を開けて河川の水を速く流して川底が見えるくらい出来るだけ少なくしておく。このようにしておけば大量の水が流れ込んでも、河川の水の貯水量とパイプの排水量の合計を超えなければ洪水を防止することが出来る。
【考案の効果】
【００１９】本考案の最も大きな特長はパイプを河川の河床に設置することにより河川の勾配を大きくしたことと同じ効果を挙げる事が出来るので河川の排水能力を向上し、洪水を防止することが出来ることにある。更に特別の機械装置、エネルギー等も不要であり、川の水の流量の管理も調節弁を操作するだけで出来るので、管理費用もメンテナンスも非常に少なくて済む。更に今までは河川の水を必要としないのに水量を少なくしておく考えがなかった。その上大雨で洪水が起きるのは自然現象で手の付けようがないと諦めていた。これに対して本考案は川の水の流れを速くして平常時でも出来るだけ少なくしておけば洪水の被害を少なくすることが出来る。【００２０】２０１１年のチャオプラヤ川の洪水も本考案を適用されていれば洪水もなく日本の工業団地も１日も休業しないで、保険金も支払わずに済んだと思います。
【考案を実施するための形態】
【００２１】本考案の実施の形態についいて河床の勾配を  １／１０００  の河川をモデルにして説明します。（図２）と（図３）を（図４）の如く組み合わせて、川の長さに応じて必要な箇所に設置する。
【実施例】
【００２２】（図５）と（図６）において河床Ｒは河口より１ｋｍづつ上流に上がるごとに１ｍづつ高くなる。川の水は河口より上流に上がる毎に深くなり、例えば約１ｋｍ上がると約３ｍの深さ（Ｐ）になる。それより上流は約３ｍの深さで推移する。パイプＡ，Ｂ，Ｃは（図５）、（図６）の如く河床Ｒに横に並べて設置する。Ａのパイプは約１ｋｍの長さで  １／１０００  の勾配であるが入り口と出口の間（ａ１とａ２）に１ｍの落差を生ずる。これは川の水の落差の１０００倍になるのでパイプの中の水は川の水の約１０００倍の速さで流れることになる。同時に流れる水量はパイプの内径の大きさにより異なる。同様にＢのパイプの長さは２ｋｍで勾配も１／１０００であるがパイプの入り口（ｂ１）が出口（ｂ２）より２ｍ高くなるので約２ｍの落差を生ずるのでパイプの中の水は川の水の約２０００倍の速さで流れることになる。同様にしてＣのパイプの長さは３ｋｍで入り口が更に１ｍ高くなると落差は３ｍとなるのでパイプの中の水の流れは川の水の流れの約３０００倍の速さになる。そしていづれの場合もパイプの出口は河口の上に出ているので排水は可能である。【００２３】長い河川において上流の方まで１本のパイプで長くすることは管理出来ないので途中でパイプを切る必要がある。（図７）は川が河口より、１２ｋｍから１５ｋｍの位置を表したもので河床の勾配は  １／１０００、水深は３ｍである。パイプＤは長さは３ｋｍで水平になるように支柱で支えて河床Ｒに設置する。この場合川の水はパイプＤの上流側（ｄ１）より入り、下流側（ｄ２）から大気中に３ｍの水圧で排出されるので流れは川の水に比べて３０００倍速くなる。これはプールの水をパイプで排水するのと同じである。
【図面の簡単な説明】
【図１】  河口１より川の水２が河床４に沿って上がっていく図である。川の水は上流に行くに従って次第に深くなりある所、例えばＰ点までいくと深さは止まりそのまま同じ深さで上流までいく  ３は勾配１／１０００の川の落差を表している
【図２】  図１に長さ２ｋｍ以上のパイプ５を河床４に沿って置いた図である。パイプの長さは必要に応じて決めればよい．Ａは１ｋｍ、Ｂは２ｋｍの長さであるがパイプの下流側の先端Ｅは空気中に出さねばならない。  もしＥが同じ川の水の中にあるとパスカルの原理によりパイプの中の水は流れない。
【図３】  湾曲したパイプである。。６は湾曲部で調節弁７が常に川の水の上に出ているように支えている。調節弁は川の水を必要とする時期は閉めているが、台風や豪雨対策の時期には開けて川の水が殆どなくなるまですくなくする。。
【図４】  図３を大きくしたものであり５は図２のものと同じである。
【図５】  長さの違う３種類のパイプを河床の上に並べた平面図で。Ａは１ｋｍ、Ｂは２ｋｍ、Ｃは３ｋｍである。それぞれ（ａ１）（ｂ１）（ｃ１）は上流側で川の水の入り口であり（ａ２）（ｂ２）（ｃ２）は下流側で河口の上、即ち空気中に出ている。
【図６】  図５と同じものを横から見た斜視図である
【図７】  長いパイプを途中から切ったものである。もし河床の上に置くとパイプの先端が空気中に出ないので図のようにした。こおするとパイプの下流側の出口は空気中にでる。川の水はｄ１から入ってｄ２よりでる。
【符号の説明】      「図１から図４の符号の説明」
１    河口
２    川の水
３    勾配  １／１０００  の川の水の落差
４    河床  Ｒ
５    長さ２ｋｍ以上のパイプ
６    湾曲したパイプ
７    調節弁
Ａ    河口から１ｋｍのパイプの位置で、１ｋｍの長さの時の川の水の入り口（上流側）
Ｂ    河口から２ｋｍのパイプの位置で、２ｋｍの長さの時の川の水の入り口（上流側）
Ｅ    Ａ又はＢのパイプの下流側で川の水のっ出口。空気中に出る
Ｐ    川の水が河口から次第に深くなって３ｍの深さのピークに達した所
○    ○の中の数字は河床の高さをメートル単位で表示した
「図５から図６の符号の説明」
Ａ    パイプの長さ１ｋｍで河床Ｒの上に置く
ａ１  パイプＡの川の水の入り口（上流側）
ａ２  パイプＡの中の川の水の出口（下流側）空気の中に出る
Ｂ    パイプの長さ２ｋｍでパイプＡの隣りに並べて河床Ｒの上に置く
ｂ１  パイプＢの川の水の入り口（上流側）
ｂ２  パイプＢの中の川の水の出口（下流側）空気の中に出る
Ｃ    パイプの長さ３ｋｍでパイプＢの隣りに並べて河床の上に置く
Ｃ１  パイプＣの中の川の水の入り口（上流側）
Ｃ２  パイプＣの中の川の水の出口（下流側）空気の中に出る
Ｐ    川の水が河口より次第に深くなり水深が３ｍのピークに達した所
Ｒ    河床
Ｓ    河口
ｗ    川の水
↓    川の流れる向き
○    ○の中の数字は水深並びに河床の高さをメートル単位で表す
「図７の符号の説明」
Ｄ    パイプの長さ３ｋｍで水平になるように支柱ＳＰで支えて河床Ｒに設置する
ｄ１  パイプＤの川の水の入り口（上流側）
ｄ２  パイプＤの中の川の水の出口（下流側）空気の中に出る
Ｒ    河床
ＳＰ  支柱
Ｗ    川の水
○    ○の中の数字は水深並びに河床の高さをメートル単位で表す
【手続補正３】
【補正対象書類名】図面
【補正対象項目名】全図
【補正方法】変更
【補正の内容】
【図１】
0003224678.tif 000009
【図２】
0003224678.tif 000010
【図３】
0003224678.tif 000011
【図４】
0003224678.tif 000012
【図５】
0003224678.tif 000013
【図６】
0003224678.tif 000014
【図７】
0003224678.tif 000015